【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
異なるタイプの複数の特徴を含む画像から対話型配置図を生成する方法であって、第１のタイプの特徴が、前記画像内の前記特徴を識別する文字表現をそれぞれ含み、前記方法が、
前記複数の特徴のうちの各特徴に対して、プロセッサによって、機能性データを生成するために、複合幾何学形状および光学認識プロセスを前記特徴に適用するステップであって、前記機能性データが、１つ以上の形状要素および所定の機能の所定の組合せを各々が含む複数の構造体を備える、ステップと、
前記複数の特徴のうちの各特徴に対して、前記プロセッサによって、
前記構造体の各々に対するベクトル表現を生成してオブジェクトモデルを定義し、
光学文字認識プロセスを適用して前記特徴内の英数文字を識別し、
前記英数文字と、前記画像内の前記第１のタイプの特徴を識別する前記文字表現のうちの１つに各々が対応する単語および／または数字のリストとを比較するとともに、
前記単語および／または数字のうちの１つとマッチする前記英数文字に応じて、前記オブジェクトモデルを前記対応する文字表現に関連づけて、前記オブジェクトモデルを第１のタイプのオブジェクトモデルであるとして分類することによって、
前記機能性データを前記オブジェクトモデルに変換するステップと、
前記プロセッサによって、エンドユーザに対する表示のための前記対話型配置図を構築するために、前記関連づけられた文字表現に基づいて、前記第１のタイプの前記オブジェクトモデルの各々を予約フローにリンクさせるステップと、
前記プロセッサによって、エンドユーザと前記オブジェクトモデルとの対話に応答して、前記リンクされた予約フローに関連した前記所定の機能を実施するために、前記第１のタイプの前記オブジェクトモデルの各々を設定するステップとを含む、方法。
【請求項２】
前記所定の機能を実施するために、前記対話型配置図を表示しかつ前記対話型配置図内での前記エンドユーザと前記オブジェクトモデルとの対話に応答するステップをさらに含む、請求項１に記載の方法。
【請求項３】
前記複数の構造体が、第１のタイプの構造体および第２のタイプの構造体を含むとともに、前記方法が、
異なるタイプのオブジェクトモデルを生成するために、前記第１のタイプの構造体を決定するための１つ以上の形状要素の第１の所定の組合せ、および前記第２のタイプの構造体を決定するための１つ以上の形状要素の第２の所定の組合せを適用するステップをさらに含む、請求項１に記載の方法。
【請求項４】
前記第１のタイプの構造体に対する前記ベクトル表現を生成するステップが、第１のタイプのベクトル表現を生成し、かつ前記第２のタイプの構造体に対する前記ベクトル表現を生成するステップが、第２のタイプのベクトル表現を生成し、前記方法が、
前記第１のタイプのベクトル表現を含む各組合せを前記第１のタイプのオブジェクトモデルに変換しかつ前記第２のタイプのベクトル表現を含む各組合せを第２のタイプのオブジェクトモデルに変換するステップをさらに含む、請求項３に記載の方法。
【請求項５】
前記オブジェクトモデルが、前記画像上のシンボルを備えるとともに、前記方法は、
前記画像の上に所定のシンボルを代表するマスクを適用するステップと、
前記マスクに対応する前記画像上の１つ以上のシンボルの場所を決定するステップと、
前記１つ以上のシンボルの前記決定された場所をデータベースに記憶するステップとをさらに含む、請求項１に記載の方法。
【請求項６】
前記画像が、複数のタイプのンボルを含むとともに、前記マスクを適用するステップ、前記場所を決定するステップ、および前記決定された場所を記憶するステップが、各タイプのシンボルに対して実施される、請求項５に記載の方法。
【請求項７】
前記決定された場所を前記データベースから回収するステップと、
前記対話型配置図に適用するための関連するオブジェクトモデルを作り出すステップとをさらに含む、請求項５に記載の方法。
【請求項８】
前記オブジェクトモデルが、前記画像内のオブジェクトに関連するとともに、前記方法が、
１つ以上の地形的ルールによって前記オブジェクトを規定するステップと、
前記１つ以上の地形的ルールにマッチする前記オブジェクトを配置するステップと、
配置された各オブジェクトの場所を記憶するステップとをさらに含む、請求項１に記載の方法。
【請求項９】
各オブジェクトが、前記構造体のうちの１つに対応する、請求項８に記載の方法。
【請求項１０】
各オブジェクトモデルが、前記オブジェクトの形状の詳細を含むとともに、前記方法が、
前記画像を所定の形状要素および／または色要素にトークン化するステップによって、前記オブジェクトの前記形状を決定するステップをさらに含む、請求項８に記載の方法。
【請求項１１】
前記画像が、複数のピクセルを備えるとともに、前記画像をトークン化するステップが、
あるピクセルから別のピクセルに前記画像内の前記特徴のうちの１つに関連するように見える類似したピクセルの検索を移動するステップと、
分析されているピクセルとの組み合わせでいずれの隣接ピクセルが所定の形状要素および／または色要素の一部を備えるピクセルの組合せを形成するかを決定するために、各ピクセルを分析するステップと、
形状要素および／または色要素、ならびに前記対話型配置図における使用のためにそれらの場所のデータベースを構築するステップとを備える、請求項１０に記載の方法。
【請求項１２】
各オブジェクトが、客室、利用可能な追加ベッド付きの客室、身体障害者のアクセスを有する客室、追加の折り畳み式浴槽、廊下、および吹き抜けの階段付きの客室、特別室、続き部屋タイプの特別室、家族向け特別室、ならびにソファーベッド、女性用トイレ、および男性用トイレ付きの特別室のうちの１つを備える、請求項８に記載の方法。
【請求項１３】
前記リスト内の前記単語および／または数字のいずれともマッチしない文字表現を除去するステップをさらに含む、請求項１に記載の方法。
【請求項１４】
ピクセルの位置の識別を可能にするために、前記オブジェクトモデルの一部または全てを識別するステップをさらに含む、請求項１に記載の方法。
【請求項１５】
前記形状要素が、ラインおよびコーナーを含むとともに、前記構造体の各々の前記ベクトル表現を生成するステップが、
前記ラインおよびコーナーをベクトル化して、前記画像内のある点から前記画像内の次の点までの移動の方向およびサイズを各々が示す一組のベクトルを形成するステップを含む、請求項１に記載の方法。
【請求項１６】
前記対話型配置図を形成するために、前記画像の処理を制御するためのルールを適用するステップをさらに含む、請求項１に記載の方法。
【請求項１７】
前記対話型配置図のレイアウトを描画するとともに、対話型配置図の表示として前記画像の表現を形成するための前記オブジェクトモデルを追加するステップをさらに含む、請求項１に記載の方法。
【請求項１８】
エンドユーザと前記対話型配置図の前記表示との対話を検出するステップと、
前記対話に基づくアクションを実施するステップとをさらに含む、請求項１７に記載の方法。
【請求項１９】
前記関連づけられた文字表現に基づいて、前記対話型配置図内の前記第１のタイプの前記オブジェクトモデルを前記予約フローにリンクさせるステップが、前記エンドユーザが予約のためのオブジェクトを選択しかつ前記選択されたオブジェクトが利用可能である場合に前記予約を完了することを可能にする、請求項１に記載の方法。
【請求項２０】
ナビゲータアプリケーションをモバイル装置にダウンロードするステップをさらに含み、前記ナビゲータアプリケーションが、前記モバイル装置に、要求された場所への方向に対する要求の受信に応答して、前記対話型配置図を使用して前記要求された場所への方向を提供させるように構成される、請求項１に記載の方法。
【請求項２１】
異なる複合幾何学形状および光学認識プロセスが、前記特徴のタイプに基づいて前記複数の特徴のうちの各特徴に適用されて、異なるタイプの機能性データを生成する、請求項１に記載の方法。
【請求項２２】
異なるタイプの複数の特徴を含む画像から対話型配置図を生成するシステムであって、第１のタイプの特徴が、前記画像内の前記特徴を識別する文字表現をそれぞれ含み、前記システムが、
プロセッサと、
前記プロセッサに結合したメモリとを備え、前記メモリが、前記プロセッサによって実行された場合に前記システムに以下の動作をさせるように構成された命令を含み、前記動作が、
前記複数の特徴のうちの各特徴に対して、機能性データを生成するために、複合幾何学形状および光学認識プロセスを前記特徴に適用することであって、前記機能性データが、１つ以上の形状要素および所定の機能の所定の組合せを各々が含む複数の構造体を備える、こと、
前記複数の特徴のうちの各特徴に対して、
前記構造体の各々に対するベクトル表現を生成してオブジェクトモデルを定義し、
光学文字認識プロセスを適用して前記特徴内の英数文字を識別し、
前記英数文字と、前記画像内の前記第１のタイプの特徴を識別する前記文字表現のうちの１つに各々が対応する単語および／または数字のリストとを比較するとともに、
前記単語および／または数字のうちの１つとマッチする前記英数文字に応じて、前記オブジェクトモデルを前記対応する文字表現に関連づけて、前記オブジェクトモデルを第１のタイプのオブジェクトモデルであるとして分類することによって、
前記機能性データを前記オブジェクトモデルに変換すること、
エンドユーザに対する表示のための前記対話型配置図を構築するために、前記関連づけられた文字表現に基づいて、前記第１のタイプの前記オブジェクトモデルの各々を予約フローにリンクさせること、ならびに
エンドユーザと前記オブジェクトモデルとの対話に応答して、前記リンクされた予約フローに関連した前記所定の機能を実施するために、前記第１のタイプの前記オブジェクトモデルの各々を設定することを含む、システム。
【請求項２３】
前記命令が、前記システムに、
前記対話型配置図を表示しかつ前記対話型配置図内での前記エンドユーザと前記オブジェクトモデルとの対話に応答して、前記所定の機能を実施することをさせるようにさらに構成される、請求項２２に記載のシステム。
【請求項２４】
前記複数の構造体が、第１のタイプの構造体および第２のタイプの構造体を含むとともに、前記命令が、前記システムに、
前記第１のタイプの構造体を決定するための１つ以上の形状要素の第１の所定の組合せ、および前記第２のタイプの構造体を決定するための１つ以上の形状要素の第２の所定の組合せを適用して、異なるタイプのオブジェクトモデルを生成することをさせるようにさらに構成される、請求項２２に記載のシステム。
【請求項２５】
前記第１のタイプの構造体に対する前記ベクトル表現を生成することが、第１のタイプのベクトル表現を生成し、かつ前記第２のタイプの構造体に対する前記ベクトル表現を生成することが、第２のタイプのベクトル表現を生成し、前記命令が、前記システムに、
前記第１のタイプのベクトル表現を含む各組合せを前記第１のタイプのオブジェクトモデルに変換しかつ前記第２のタイプのベクトル表現を含む各組合せを第２のタイプのオブジェクトモデルに変換することをさせるようにさらに構成される、請求項２４に記載のシステム。
【請求項２６】
前記システムが、データベースをさらに備え、
前記オブジェクトモデルが、前記画像上のシンボルを備えるとともに、前記命令が、前記システムに、
前記画像の上に所定のシンボルを代表するマスクを適用すること、
前記マスクに対応する前記画像上の１つ以上のシンボルの場所を決定すること、および
前記１つ以上のシンボルの前記決定された場所をデータベースに記憶することをさせるようにさらに構成される、請求項２２に記載のシステム。
【請求項２７】
前記画像が、複数のタイプのンボルを含むとともに、前記命令が、前記システムに、
各タイプのシンボルに対して、前記マスクを適用すること、前記場所を決定すること、および前記決定された場所を記憶することをさせるようにさらに構成される、請求項２６に記載のシステム。
【請求項２８】
前記命令が、前記システムに、
前記決定された場所を前記データベースから回収すること、および
前記対話型配置図に適用される関連するオブジェクトモデルを作り出すことをさせるようにさらに構成される、請求項２６に記載のシステム。
【請求項２９】
前記オブジェクトモデルが、前記画像内のオブジェクトに関連するとともに、前記命令が、前記システムに、
１つ以上の地形的ルールによって前記オブジェクトを規定すること
前記１つ以上の地形的ルールにマッチする前記オブジェクトを配置すること、および
配置された各オブジェクトの場所を記憶することをさせるようにさらに構成される、請求項２２に記載のシステム。
【請求項３０】
各オブジェクトが、前記構造体のうちの１つに対応する、請求項２９に記載のシステム。
【請求項３１】
各オブジェクトモデルが前記オブジェクトの形状の詳細を含むとともに、前記命令が、前記システムに、
前記画像を所定の形状要素および／または色要素にトークン化することによって、前記オブジェクトの前記形状を決定することをさせるようにさらに構成される、請求項２９に記載のシステム。
【請求項３２】
各オブジェクトが、客室、利用可能な追加ベッド付きの客室、身体障害者のアクセスを有する客室、追加の折り畳み式浴槽、廊下、および吹き抜けの階段付きの客室、特別室、続き部屋タイプの特別室、家族向け特別室、ならびにソファーベッド、女性用トイレ、および男性用トイレ付きの特別室のうちの１つを備える、請求項２９に記載のシステム。
【請求項３３】
前記命令が、前記システムに、
前記リスト内の前記単語および／または数字のいずれともマッチしない英数文字を有する前記文字表現を除去することをさせるようにさらに構成される、請求項２２に記載のシステム。
【請求項３４】
前記形状要素が、ラインおよびコーナーを含むとともに、前記システムが、
前記ラインおよびコーナーをベクトル化して、前記画像内のある点から前記画像内の次の点までの移動の方向およびサイズを各々が示す一組のベクトルを形成することによって、前記構造体の各々の前記ベクトル表現を生成する、請求項２２に記載のシステム。
【請求項３５】
前記命令が、前記システムに、
前記画像の処理を制御するためのルールを適用して、前記対話型配置図を形成することをさせるようにさらに構成される、請求項２２に記載のシステム。
【請求項３６】
前記命令が、前記システムに、
前記対話型配置図のレイアウトを描画しかつ対話型配置図の表示として前記画像の表現を形成するための前記オブジェクトモデルを追加することをさせるようにさらに構成される、請求項２２に記載のシステム。
【請求項３７】
前記命令が、前記システムに、
エンドユーザと前記対話型配置図の前記表示との対話を検出すること、および
前記対話に基づくアクションを実施することをさせるようにさらに構成される、請求項３６に記載のシステム。
【請求項３８】
前記関連づけられた文字表現に基づいて、前記対話型配置図内の前記第１のタイプの前記オブジェクトモデルを前記予約フローにリンクさせることが、前記エンドユーザが予約のためのオブジェクトを選択しかつ前記選択されたオブジェクトが利用可能である場合に前記予約を完了することを可能にする、請求項２２に記載のシステム。
【請求項３９】
モバイル装置に、要求された場所への方向に対する要求の受信に応答して、前記対話型配置図を使用して前記要求された場所への方向を提供することをさせるように構成されたアプリケーションを含むモバイル装置をさらに備える、請求項２２に記載のシステム。
【請求項４０】
前記命令が、前記システムに、
前記特徴のタイプに基づいて異なる複合幾何学形状および光学認識プロセスを前記複数の特徴のうちの各特徴に適用して、異なるタイプの機能性データを生成することをさせるようにさらに構成される、請求項２２に記載のシステム。
【請求項４１】
異なるタイプの複数の特徴を含む画像から対話型配置図を生成するためのコンピュータプログラムであって、第１のタイプの特徴が、前記画像内の前記特徴を識別する文字表現をそれぞれ含み、前記コンピュータプログラムが、持続性コンピュータ可読記憶媒体に記憶されかつプロセッサによって実行された場合に前記プロセッサに以下の動作をさせるように構成された命令を含み、前記動作が、
前記複数の特徴のうちの各特徴に対して、機能性データを生成するために、複合幾何学形状および光学認識プロセスを前記特徴に適用することであって、前記機能性データが、１つ以上の形状要素および所定の機能の所定の組合せを各々が含む複数の構造体を備える、こと、
前記複数の特徴のうちの各特徴に対して、
前記構造体の各々に対するベクトル表現を生成してオブジェクトモデルを定義し、
光学文字認識プロセスを適用して前記特徴内の英数文字を識別し、
前記英数文字と、前記画像内の前記第１のタイプの特徴を識別する前記文字表現のうちの１つに各々が対応する単語および／または数字のリストとを比較するとともに、
前記単語および／または数字のうちの１つとマッチする前記英数文字に応じて、前記オブジェクトモデルを前記対応する文字表現に関連づけて、前記オブジェクトモデルを第１のタイプのオブジェクトモデルであるとして分類することによって、
前記機能性データを前記オブジェクトモデルに変換すること、
エンドユーザに対する表示のための前記対話型配置図を構築するために、前記関連づけられた文字表現に基づいて、前記第１のタイプの前記オブジェクトモデルの各々を予約フローにリンクさせること、ならびに
エンドユーザと前記オブジェクトモデルとの対話に応答して、前記リンクされた予約フローに関連した前記所定の機能を実施するために、前記第１のタイプの前記オブジェクトモデルの各々を設定することを含む、コンピュータプログラム。